(57)【特許請求の範囲】
【請求項１】
被加熱物を内部に保持する内釜を収納するための収納部が形成された本体と、該収納部の上方を開閉する蓋体を有し、
前記蓋体は、前部に前方へ突出する係合爪が形成され、前記本体の後部に常に前記収納部の上方を開放する方向へ付勢する力が作用した状態で回動自在に取り付けられ、
前記本体には、前記蓋体が閉じられた状態において、前記係合爪を係止して前記蓋体を前記本体に閉じた状態に保持する係止ボタンが設けられ、
該係止ボタンは、前記蓋体が前記本体に閉じられた状態において外部から見える部位には塗装が施され、前記蓋体の開閉時において他の部位と接する部位は素地が露出し、
前記本体には前記係止ボタンを取り付ける凹部が形成され、該凹部の内部には軸受部が形成され、前記係止ボタンの側面には前記軸受部に軸支される軸が一体に形成されており、前記係止ボタンの素地が露出した部位は、前記軸であり、
前記軸受部及び前記軸は、樹脂により形成されたことを特徴とする炊飯器。
【請求項２】
被加熱物を内部に保持する内釜を収納するための収納部が形成された本体と、該収納部の上方を開閉する蓋体を有し、
前記蓋体は、前部に前方へ突出する係合爪が形成され、前記本体の後部に常に前記収納部の上方を開放する方向へ付勢する力が作用した状態で回動自在に取り付けられ、
前記本体には、前記蓋体が閉じられた状態において、前記係合爪を係止して前記蓋体を前記本体に閉じた状態に保持する係止ボタンが設けられ、
該係止ボタンは、前記蓋体が前記本体に閉じられた状態において外部から見える部位には塗装が施され、前記蓋体の開閉時において他の部位と接する部位は素地が露出し、
前記係止ボタンは、上方を向き上面を形成する押圧部と、後方を向く後面と、該後面に開口する係止凹部と、前記押圧部と前記後面が交わる角部が一体に形成されており、後方に付勢された状態で前後に回動可能に前記本体に設けられ、
前記蓋体が前記本体に閉じられる過程において、前記係合爪が前記角部及び前記後面を押圧して前記係止ボタンを前方に動作させた後、前記係止凹部に入り込むことで前記蓋体が前記本体に閉じた状態で保持可能に構成され、
前記係止ボタンの素地が露出した部位は、前記後面及び／又は前記角部であり、
前記係止ボタン及び前記係合爪は、樹脂により形成されたことを特徴とする炊飯器。
【発明の詳細な説明】
【技術分野】
【０００１】
本発明は、本体を開閉する蓋体を係止する係止ボタンを有する炊飯器に関する。
【背景技術】
【０００２】
従来から、被加熱物を入れる内釜を装着する開口が形成された本体と、この開口を開閉自在となるように本体に設けられた蓋体を有する炊飯器がある。このような炊飯器の蓋体は、本体に軸支されており、本体と蓋体との間にネジリバネなどを介在させることで、蓋体が本体を閉鎖した状態を含め、常に開放方向に付勢される力が作用した状態となっている。
このような蓋体は、蓋体に設けられた係合爪が、蓋体を開放するためのボタンを兼ねる蓋開閉レバー（係止ボタン）で下方に係合保持されることにより本体の開口を閉鎖した状態となる。
そして、このような蓋体と蓋開閉レバーは、蓋開閉レバーを押圧することで本体前方に回動させることで、蓋体の係合爪と蓋開閉レバーの係合が解除される。これにより蓋体は、ネジリバネの弾性力により、軸支位置を中心に本体後方に向かって開放される。
【先行技術文献】
【特許文献】
【０００３】
【特許文献１】特開２００４−３３７５０５号公報
【発明の概要】
【発明が解決しようとする課題】
【０００４】
しかしながら、このような炊飯器の本体に設けられた蓋体開閉レバーは、蓋体に設けられた係合爪との係合を確実にするため、バネなどにより、蓋体が位置する側に付勢されるように本体に取り付けられている。
この為、蓋体を本体に閉めるとき、蓋体の係合爪が蓋開閉レバーに、上方より接触して蓋開閉レバーを前方に押し出して係合することとなる。
従って、この係合爪と蓋開閉レバーの接触が繰り返されることにより、蓋開閉レバーの表面に意匠性を高めるためにメッキ処理などを施してある場合、メッキが剥離することによる意匠性の低下や、メッキの亀裂に形成される鋭いエッジに使用者が触れることによる怪我の恐れが生じる、という課題があった。
【０００５】
そこで本発明は、上記のような課題を解決するためのものであり、蓋を開放するためのボタンである蓋体開閉レバーの意匠性の確保と、使用者が安全に使用することが可能な炊飯器を提供することを目的とする。
【課題を解決するための手段】
【０００６】
本発明にかかる炊飯器は、被加熱物を内部に保持する内釜を収納するための収納部が形成された本体と、該収納部の上方を開閉する蓋体を有し、前記蓋体は、前部に前方へ突出する係合爪が形成され、前記本体の後部に常に前記収納部の上方を開放する方向へ付勢する力が作用した状態で回動自在に取り付けられ、前記本体には、前記蓋体が閉じられた状態において、前記係合爪を係止して前記蓋体を前記本体に閉じた状態に保持する係止ボタンが設けられ、該係止ボタンは、前記蓋体が前記本体に閉じられた状態において外部から見える部位には塗装が施され、前記蓋体の開閉時において他の部位と接する部位は素地が露出し、前記本体には前記係止ボタンを取り付ける凹部が形成され、該凹部の内部には軸受部が形成され、前記係止ボタンの側面には前記軸受部に軸支される軸が一体に形成されており、前記係止ボタンの素地が露出した部位は、前記軸であり、前記軸受部及び前記軸は、樹脂により形成することにより課題を解決する。
【発明の効果】
【０００７】
以上のように各部を構成した炊飯器であれば、係止ボタンの外部から見える部位の意匠性を確保すると共に、蓋体を開閉する際に接触（摺接）する部位同士は、塗装が施されていないため、塗装が剥がれることによる塗装片の飛散を防止することが可能となる。
【図面の簡単な説明】
【０００８】
【図１】実施の形態に係る炊飯器の側面図
【図２】図１における炊飯器の蓋体が開放した状態を示す側面図
【図３】図１における炊飯器の上面図
【図４】図３における炊飯器の蓋体が開放した状態を示す上面図
【図５】図３における炊飯器の蓋体が開放した状態を後方から見た後方斜視図
【図６】図３のＸ−Ｘ断面図
【図７】図６における炊飯器の蓋が閉まる直前を示す縦断面図
【図８】図７の要部（Ｂ部）拡大図
【図９】係止解除ボタンの上面図
【図１０】係止解除ボタンの側面図
【図１１】図９のＹ−Ｙ断面を側方からみた図
【図１２】図１１の断面（Ｃ部）の拡大図
【発明を実施するための形態】
【０００９】
以下、図面を参照しながら本発明の実施の形態を説明する。
図１〜図７を参照すると、炊飯器Ｓは、米や水などの被加熱物を内部に保持する内釜３０を収納するための凹状の収納部１１が形成された本体１０と、この収納部１１の開口１１ａの上方を開閉する蓋体２０から構成されている。
本体１０の前部の上面には、炊飯メニューなどの各種設定入力を行う操作部１２が設けられている。この操作部１２は、複数の操作キーからなる操作パネル１２ａや表示手段１２ｂから構成されている。
【００１０】
また、本体１０の内部には、内釜３０を加熱する加熱手段１３，１４や、操作部１２や各種センサーからの入力信号を受けて加熱手段１３，１４の制御を行う制御部１７や、制御部１５により制御される音声報知手段（図示せず）が設けられている。
使用者は、表示手段１２ｂの表示内容や音声報知手段からの音声報知を参考に、各種操作キーを操作することで、タイマーセット、メニュー選択、時計セット、炊飯スタート、各種操作の取消、保温等の操作が可能となっている。
【００１１】
また、本体１０の後部には、ヒネリバネ１８ａが組み込まれた蓋体受け部１８が形成されており、後述する蓋体２０が回動自在に軸支されている。このヒネリバネ１８ａは、蓋体２０と本体１０との間に介在して位置し、蓋体２０に対して、常に開口１１ａが開放する方向へと付勢する力を作用している。
つまり、蓋体２０が後述するように本体１０に係止されていない状態では、収納部１１に対して内釜３０が着脱自在となるように、蓋体２０が本体１０に対して開放した状態となる。
【００１２】
図２、図４、図５を参照すると、この様な本体１０は、側方から見て、本体１０の操作部１２の操作キーが配置されている部位である前部の上面（第１の上面１０ａ）に対して、蓋体２０が本体１０に係止されて閉じられている状態で、蓋体２０の下面と合わさる面であり開口１１ａが形成されている本体１０の上面（第２の上面１０ｂ）は、一段低く構成されている。
つまり炊飯器Ｓは、蓋体２０が本体１０に閉じられた状態において、操作部１２の操作キーが配置されている前部の上面（第１の上面１０ａ）と蓋体２０の上面２０ｄが、連続的に繋がるような外形状が形成されるように構成されている。
【００１３】
また、第１の上面１０ａと第２の上面１０ｂは、略垂直方向に立設する樹脂により形成された壁部１０ｃによってつながれている。そして、第１の上面１０ａの後端中央の位置には、壁部１０ｃに跨る凹部１０ｄが形成されている。
この凹部１０ｄの左右壁面にはそれぞれ樹脂により軸受部１０ｅ（図示せず）が形成され、下部には後述するコイルバネ１６を取り付けるバネ取り付け部１０ｆが形成されている。
そして、この凹部１０ｄには、蓋体２０を係止及び係止状態の解除するためのボタンである係止ボタン１５が配置される。
【００１４】
図８〜図１２を参照すると、この係止ボタン１５には、上方を向き上面を形成する押圧部１５ａと、後面１５ｇに開口する係止凹部１５ｂと、両側面１５ｃから外方向に突出する軸１５ｄと、下方向に突出するバネ受け部１５ｅと、前面を形成する前面部１５ｆと、押圧部１５ａと後面１５ｇが交わる角部１５ｈがそれぞれ形成されている。
押圧部１５ａは、使用者が蓋体２０の係止状態を解除するために係止ボタン１５を回動させるために押圧する部位である。係止凹部１５ｂは、後述する蓋体２０の形成された係止爪２５を受け入れて凹部内部に保持することで、係合する部位である。
【００１５】
軸１５ｃは、凹部１０ｄ内部に形成された軸受部１０ｅに軸支され、凹部１０ｄ内部に係止ボタン１５が回転自在に保持されるようにするためのものである。
バネ受け部１５ｅは、バネ取り付け部１０ｆに取り付けられたコイルバネ１６を下方向から受ける部位であり、コイルバネ１６の開口内部に挿入されることにより、脱落しないように構成されている。
【００１６】
尚、バネ取り付け部１０ｆは、軸１５ｃより前側に位置する。これにより、コイルバネ１６は、凹部１０ｄに係止ボタン１５と共に取り付けられた状態において、自然長より縮めた状態で前方に向けて湾曲して取り付けられている。
つまり、コイルバネ１６はバネの元の形状に戻ろうとする復元力で、係止ボタン１５を下方から上方へ押圧すると共に、前面部１５ｆ下側が凹部１０ｄの壁面に当接して後方へ付勢した状態となっている。
このように係止ボタン１５は凹部１０ｄの内部において、係止凹部１５ｂの開口を後方に向け、コイルバネ１６に付勢された状態で、押圧部１５ａに作用する外力により回動自在に軸支されている。
【００１７】
また、図４を参照すると、上記のように係止ボタン１５が取り付けられた炊飯器Ｓを上方から見ると、係止ボタン１５に力が作用していない状態（通常の状態）において、凹部１０ｄの左右方向に延びる壁部１０ｃのライン（第１の上面１０ａの後端ライン）と、係止ボタン１５の後端が形成するラインは、連続したラインとなっている。
つまり、壁部１０ｃの面と係止ボタン１５の後端（後面１５ｇ）は、揃った状態となっている。
【００１８】
次に、図９〜図１２を参照すると、係止ボタン１５の形状を形成する基体は、樹脂により形成されている。そして、この基体の表面に塗装を施すことにより、係止ボタン１５の意匠性を向上させている。
ここで、係止ボタン１５の基体への塗装について、上面を形成する押圧部１５ａと前面を形成する前面部１５ｆには塗装を行うが、後面１５ｇと両側面１５ｃと軸１５ｄと角部１５ｈには塗装を行わない。
【００１９】
つまり、係止ボタン１５が本体１０に取り付けられ、蓋体１０が本体１０に閉じられた状態（蓋体１０を係止ボタン１５が係止している状態）において、炊飯器Ｓを外部から見て係止ボタン１５の見える部位（他の部位により隠れていない部分）には意匠性を向上させる塗装が施され、外部から見えない部位である後面１５ｇと両側面１５ｃと軸１５ｄと角部１５ｈは、係止ボタンの基体の素地である樹脂が露出した状態となっている。
尚、後述するが、係止ボタン１５が本体１０に取り付けられ、蓋体２０を開閉する際、後面１５ｇと両側面１５ｃと軸１５ｄと角部１５ｈは、他の部位と接触する部分である。
【００２０】
塗装の方法であるが、塗装を行わない後面１５ｇと両側面１５ｃと軸１５ｄを完全にマスキング（被う）して、塗料が上記の部位に付着しないようにして行うか、また、塗装を行わない部位にマスキングをせずに、冶具などに固定した係止ボタン１５の基体の前面１５ｆ又は押圧部１５ａ側から吹き付けによる塗装を行っても良い。
【００２１】
基体にマスキングを行わないで塗装を行った場合、塗装を行わない面にも飛散した塗料が付着するが、塗装を行う面と行わない面との間に、基体の面に付着する塗料と塗料が付着しない基体の面との境に、大きな段差が形成されにくい。
つまり、基体の面上に、塗料の厚さによるエッジが立ちにくいので、塗装面と外部との接触で塗装が剥がれにくい。
【００２２】
尚、係止ボタン１５の表面に施す塗装は、下塗りと中塗りと上塗りの３層からなる。下塗りは、係止ボタン１５の素地である樹脂と意匠面の色である中塗りの密着を良くするために塗るものであり、上塗りは塗装面の光沢を出したり、中塗りを保護するためのものである。
また、本実施の形態において係止ボタン１５に行う中塗りには、微細なアルミ粉を添加したウレタン系塗料を用いてメッキ調の塗装を行っている。このようなメッキ調の塗装を用いることで、実際に意匠面にメッキ処理を施したかのように、係止ボタン１５に高級感を出すことができる。
【００２３】
次に、図１〜図８を参照して蓋体２０について説明する。
蓋体２０には開口２０ｃが形成されており、この開口には調理中に発生する水蒸気と共に炊飯器Ｓの外部に噴出する米の成分であるおねばを受入れ、水蒸気とおねばを分離し、水蒸気は炊飯器Ｓの外部へ排出し、おねばは内釜内部へ戻すカートリッジ２１が着脱自在に取り付けられている。
また、蓋体２０の下面には、蓋体２０が本体１０に閉じられた際に内釜の開口を覆う内蓋２２と、蓋保温ヒーター２３が設けられている。この蓋保温ヒーター２３は、内蓋２２を保温することにより、内蓋２２に生じる結露を防止するためのものである。
【００２４】
次に、蓋体２０の後部には、本体１０の後部に形成された蓋体受け部１８に回動自在に蓋体２０を取り付ける蓋体取り付け部２０ｂが形成されている。
そして、先に述べたように、蓋体２０と本体１０の間にヒネリバネ１８ａを介在させた状態で、取り付け部２０ｂを蓋体受け部１８に回動自在に軸支することで、蓋体２０が常に開口１１ａが開放する方向へと付勢した状態で、本体１０に対して開閉自在に取り付けられる。
つまり、本体１０に形成されたヒネリバネ１８ａを有する蓋体受け部１８と、蓋体２０に形成された蓋体取り付け部２０ｂにより、蓋体２０を本体１０に対して開閉自在にするヒンジが形成されている。
【００２５】
次に、蓋体２０の前部には、前端面の左右中心から前方へ突出する係合爪２５が形成されている。この係合爪２５は樹脂により形成されており、係止ボタン１５に形成された係止凹部１５ｂの内部入り込むことで係合する部位である。
また、この係合爪２５は、蓋体２０が本体１０に閉じられた状態において、蓋体２０の前端面２０ａに向けて下り傾斜する面である受け部２５ａと、この受け部２５ａの先端から下方に行くに従って蓋体２０の前端面２０ａに近づく面で構成されるテーパー部２５ｂを有した形状である。
【００２６】
尚、炊飯器Ｓを上方から見ると、蓋体２０の前端面２０ａのライン形状と本体１０の壁部１０ｃの面と係止ボタン１５の後面１５ｇが形成するライン形状は、略同一の形状である。
ここで、係合爪２５は、蓋体２０の前端面から前方へ突出しているので、蓋体２０が本体に閉じられている状態において係合爪２５は、本体１０側である係止ボタン１５の係合凹部１５ｂの内方に入り込むことになる。
【００２７】
以上のように各部が構成された蓋体２０は、次のように本体１０に対して閉じられる。
図１〜図３を参照すると、蓋体２０が本体１０に閉じられる過程において、まず、蓋体２０が本体１０の上面に近づくに伴い、係止ボタン１５の上方より係合爪２５が近づいてくる。
【００２８】
そして、係止ボタン１５の押圧部１５ａを形成する上面と後面１５ｇが交わる角部１５ｈに、係合爪２５のテーパー部２５ｂが当接する。そして、角部１５ｈにテーパー部２５ｂが当接しながら、テーパー部２５ｂが下方に移動するに従って、テーパー部２５ｂの面に沿って角部１５ｈが前方に押圧される。
これにより、蓋体の凹部に軸支された係止ボタン１５は、コイルバネ１６の弾性力に抗して、前方に向けて回動（図中矢印Ａ、左回転）し、炊飯器Ｓを上方から見た場合の壁部１０ｃのラインより前側に係止ボタン１５が押圧される。
【００２９】
次に、角部１５ｈを越えた係合爪２５は、係合爪２５の先端２５ｃを係止ボタン１５の後面１５ｇに当接しながら下方へ移動する。そして、後面１５ｇを係合爪２５が乗り越えることにより、係止ボタン１５がコイルバネ１６の弾性力により元の位置に戻り、係合爪２５が凹部１５ｂの内部に入り込む。
この状態において蓋体２０は、ヒンジに設けられたヒネリバネ１８ａの弾性力により、開放する方向（図中、上方向）に付勢されるので、受け部２５ａが凹部１５ｂの上面に付勢し、凹部１５ｂの内部に係合爪２５が保持される。
これにより、蓋体２０は本体１０に対して閉じた状態に保持される。
【００３０】
次に、上記のように本体１０に閉じられた蓋体２０は、次のように開放される。
まず、係止ボタン１５の押圧部１５ａを上方より押すことにより、コイルバネ１６により本体１０後方に向いて付勢されている係止ボタン１５を本体１０の前方（図中、左回転）に傾くように回動させる。
これにより、受け部２５ａが凹部１５ｂの内部で上下に重ならなくなるので、蓋体２０はヒネリバネ１８ａの弾性力により上方に回動して本体１０から開放される。
【００３１】
以上のように炊飯器Ｓの各部が構成されているので、上記のように蓋体２０の開閉を行っても、次のような効果を得ることができる。
係止ボタン１５は、上面を形成する押圧部１５ａと前面を形成する前面部１５ｆには塗装を行い、後面１５ｇと両側面１５ｃと軸１５ｄと角部１５ｈには塗装を行わない。
つまり、係止ボタン１５の外部から見える部位は意匠性を向上させる塗装を行い、外部から見えない部位であり、蓋体２０を開閉する際に他の部位と接触する部分である後面１５ｇと両側面１５ｃと軸１５ｄと角部１５ｈは、基体の素地である樹脂が露出した状態となっている。
【００３２】
この様に構成することにより、係止ボタン１５の外部から見える部位の意匠性を確保すると共に、蓋体２０を開閉する際に係合爪２５と接触する後面１５ｇや角部１５ｈや、係止ボタン１５が回動する際に凹部１０ｄに形成された軸受に回転摺動する軸１５ｄや凹部１０ｄの内壁に接触することがある側面１５ｃは、塗装が施されていないため、塗装が剥がれることによる塗装片の飛散を防止することができる。
【００３３】
また、塗装面は、他の部材との接触など、何らかの原因で塗装の一部が剥がれると、その剥がれた部位を基点に周囲の塗装が剥がれやすくなることがあるが、本実施の形態の構成であれば、各接触（摺接）部分において、塗装剥がれの基点が形成されない。
これにより、各部位の接触（摺接）部位を基点とした係止ボタンの１５の意匠部分へ及ぶ、塗装の剥がれの広がりを防止することができる。
【００３４】
また、接触や摺接する係合爪２５や後面１５ｇや角部１５ｈや凹部１０ｄに形成された軸受や軸１５ｄは、それぞれ樹脂により形成されているので、塗装が施されていない面同士、つまり、直接素材である樹脂同士が接触するのですべり性がよく、スムーズに接触や摺接を行うことができる。
また、接触など何らかの原因で塗装が施されている意匠面に傷などが付いても、塗装が剥がれるだけなので、メッキのように剥がれた部位が鋭くなりにくく、使用者が接触することによる怪我を防止することができる。
【００３５】
また、塗装を行わない部位にマスキングをせずに、冶具などに固定した係止ボタン１５の基体の前面１５ｆ又は押圧部１５ａ側から吹き付けによる塗装を行った場合、塗装を行わない面にも飛散した塗料が付着するが、塗装を行う面と行わない面との間に、基体の面に付着する塗料と塗料が付着しない基体の面との境に、大きな段差が形成されにくい。
つまり、基体の面上に、塗料の厚さによるエッジが立ちにくいので、塗装面と外部との接触で塗装が剥がれにくい塗装面を構成することができる。
【符号の説明】
【００３６】
Ｓ  炊飯器、１０  本体、１１  収納部、１２  操作部、１３，１４  加熱手段、
１５  係止ボタン、１６  コイルバネ、１７  制御部、１８  蓋体受け部、
１８ａ  ヒネリバネ、２０  蓋体、２１  カートリッジ、２５  係合爪、３０  内釜
【図１】
0005709504.tif 000002
【図２】
0005709504.tif 000003
【図３】
0005709504.tif 000004
【図４】
0005709504.tif 000005
【図５】
0005709504.tif 000006
【図６】
0005709504.tif 000007
【図７】
0005709504.tif 000008
【図８】
0005709504.tif 000009
【図９】
0005709504.tif 000010
【図１０】
0005709504.tif 000011
【図１１】
0005709504.tif 000012
【図１２】
0005709504.tif 000013